(57)【特許請求の範囲】
【請求項１】
上面及び底面を有する扁平形状の扁平形電池と、
前記扁平形電池の上面及び底面のうち一方の面上に配置される基板と、
前記基板を前記扁平形電池との間に挟みこむ平面部と、該平面部の外周側から該平面部の厚み方向に延出して前記扁平形電池の側面に嵌合する側壁部とを有する筐体とを備え、
前記筐体には、前記基板を介して前記扁平形電池に電気的に接続された出力端子が設けられている、電池ユニット。
【請求項２】
請求項１に記載の電池ユニットにおいて、
前記出力端子は、前記筐体の平面部に形成されていて、前記基板によって覆われた前記扁平形電池の一方の面に電気的に接続されることにより、該扁平形電池の一方の電極として機能し、
前記扁平形電池における前記筐体によって覆われていない他方の面は、該扁平形電池の他方の電極として機能する、電池ユニット。
【請求項３】
請求項１または２に記載の電池ユニットにおいて、
前記平面部には、前記扁平形電池にそれぞれ電気的に接続された正極及び負極の充電端子が設けられている、電池ユニット。
【請求項４】
請求項３に記載の電池ユニットにおいて、
前記扁平形電池は、有底筒状の外装缶と、該外装缶の開口側を覆う封口缶とを有していて、
前記筐体の側壁部には、前記扁平形電池の外装缶の側面と前記基板とを電気的に接続するための接続配線が設けられている、電池ユニット。
【請求項５】
請求項１から４のいずれか一つに記載の電池ユニットにおいて、
前記基板における前記平面部側の面には、回路部品が実装されていて、
前記平面部には、前記基板に実装された回路部品が内方に位置付けられる穴部が形成されている、電池ユニット。
【請求項６】
請求項５に記載の電池ユニットにおいて、
前記出力端子は、前記平面部における前記穴部の周辺部分に形成されていて、
前記基板には、前記出力端子と接触可能なように、平面視で該基板の外周側に出力端子用電極が設けられている、電池ユニット。
【請求項７】
請求項５に記載の電池ユニットにおいて、
前記平面部に形成された前記穴部の周辺部分には、前記扁平形電池にそれぞれ電気的に接続された正極及び負極の充電端子が設けられていて、
前記基板には、前記各充電端子と接触可能なように、平面視で該基板の外周側に複数の充電端子用電極が設けられている、電池ユニット。
【請求項８】
請求項１から７のいずれか一つに記載の電池ユニットにおいて、
前記筐体の側壁部は、前記扁平形電池の側面を覆うように該扁平形電池の側面全周に亘って形成されている、電池ユニット。
【発明の詳細な説明】
【技術分野】
【０００１】
本発明は、扁平形電池を備えた電池ユニットに関する。
【背景技術】
【０００２】
従来より、電池と保護回路等とをユニット化した構成が知られている。このような構成としては、例えば特許文献１に開示されるように、電池ケース上に保護回路等を配置した構成が知られている。
【先行技術文献】
【特許文献】
【０００３】
【特許文献１】特開２００９−１５２１８３号公報
【発明の概要】
【発明が解決しようとする課題】
【０００４】
ところで、上述の構成の場合には、電池ケース上に保護回路等の回路部を配置して電池ユニットを構成するために、回路部を構成する回路基板や回路部品、配線に加えて、該回路部を配置するための保持材等の多くの部品が必要になるとともに、それらの部品を覆う樹脂成形も必要になる。このように部品数が増えて構造が複雑になると、電池ユニットの製造工程も複雑になる。そして、コイン型電池などの扁平形電池のような小型の電池において、同様に回路部を設けようとすると、小型の電池ユニットの製造が困難になったり、電池ユニット全体が電池に比べてかなり大型化したりする可能性がある。例えば、扁平形電池を用いた電池ユニットが大型化した場合には、該電池ユニットを、扁平形電池を用いるような小型機器に使用するのが難しくなる。
【０００５】
そのため、本発明では、扁平形電池と回路が形成された基板とを備えた電池ユニットにおいて、簡単で且つコンパクトな構成の電池ユニットを得ることを目的とする。
【課題を解決するための手段】
【０００６】
本発明の一実施形態にかかる電池ユニットは、上面及び底面を有する扁平形状の扁平形電池と、前記扁平形電池の上面及び底面のうち一方の面上に配置される基板と、前記基板を前記扁平形電池との間に挟みこむ平面部と、該平面部の外周側から該平面部の厚み方向に延出して前記扁平形電池の側面に嵌合する側壁部とを有する筐体とを備え、前記筐体には、前記基板を介して前記扁平形電池に電気的に接続された出力端子が設けられている（第１の構成）。
【０００７】
以上の構成により、筐体によって、扁平形電池と基板とを容易に一体化することができる。すなわち、上述の構成では、扁平形電池の側面に筐体の側壁部を嵌合させることによって、該扁平形電池と筐体の平面部との間に基板を挟み込んだ状態で、該筐体により扁平形電池及び基板を保持することができる。
【０００８】
しかも、上述の構成では、基板も扁平形電池とともに筐体内に収納されるため、電池ユニット全体としてコンパクト化を図れるとともに、ユーザーが基板に直接、触れるのを防止できる。
【０００９】
また、筐体には出力端子が設けられるため、該出力端子を介して、扁平形電池の放電が可能になる。
【００１０】
前記第１の構成において、前記出力端子は、前記筐体の平面部に形成されていて、前記基板によって覆われた前記扁平形電池の一方の面に電気的に接続されることにより、該扁平形電池の一方の電極として機能し、前記扁平形電池における前記筐体によって覆われていない他方の面は、該扁平形電池の他方の電極として機能する（第２の構成）。
【００１１】
これにより、電池ユニットの両面に電極が存在するため、該電池ユニットを従来の扁平形電池と同様の態様で使用することが可能になる。
【００１２】
前記第１または第２の構成において、前記平面部には、前記扁平形電池にそれぞれ電気的に接続された正極及び負極の充電端子が設けられている（第３の構成）。こうすることで、筐体の平面部側で充電装置の端子と接続して扁平形電池の充電を行うことが可能になる。
【００１３】
前記第３の構成において、前記扁平形電池は、有底筒状の外装缶と、該外装缶の開口側を覆う封口缶とを有していて、前記筐体の側壁部には、前記扁平形電池の外装缶の側面と前記基板とを電気的に接続するための接続配線が設けられている（第４の構成）。
【００１４】
これにより、筐体内に配置した基板と扁平形電池の外装缶とを電気的に接続することが可能になる。すなわち、筐体内では、基板と扁平形電池の一方の面とが電気的に接続される一方、該筐体の側壁部に設けられた接続配線によって、扁平形電池の外装缶の側面と基板とが電気的に接続される。これにより、扁平形電池の両方の電極と基板とをそれぞれ電気的に接続することが可能になる。
【００１５】
前記第１から第４の構成のうちいずれか一つの構成において、前記基板における前記平面部側の面には、回路部品が実装されていて、前記平面部には、前記基板に実装された回路部品が内方に位置付けられる穴部が形成されている（第５の構成）。
【００１６】
これにより、基板上に実装された回路部品が筐体の平面部と干渉するのを防止できる。しかも、上述の構成により、基板と筐体とをよりコンパクトに配置できるため、電池ユニット全体としてコンパクト化を図れる。
【００１７】
前記第５の構成において、前記出力端子は、前記平面部における前記穴部の周辺部分に形成されていて、前記基板には、前記出力端子と接触可能なように、平面視で該基板の外周側に出力端子用電極が設けられている（第６の構成）。
【００１８】
このような構成により、筐体の平面部に設けられた出力端子と基板に設けられた出力端子用電極とを効率良く接触させることができる。
【００１９】
前記第５の構成において、前記平面部に形成された前記穴部の周辺部分には、前記扁平形電池にそれぞれ電気的に接続された正極及び負極の充電端子が設けられていて、前記基板には、前記各充電端子と接触可能なように、平面視で該基板の外周側に複数の充電端子用電極が設けられている（第７の構成）。
【００２０】
このような構成により、筐体の平面部に正極及び負極の充電端子が設けられた構成において、該充電端子と基板に設けられた充電端子用電極とを効率良く接触させることができる。
【００２１】
前記第１から第７の構成のうちいずれか一つの構成において、前記筐体の側壁部は、前記扁平形電池の側面を覆うように該扁平形電池の側面全周に亘って形成されている（第８の構成）。
【００２２】
こうすることで、扁平形電池の側面と嵌合する筐体の側壁部の面積が増大するため、該側壁部によって扁平形電池をより確実に保持することができる。しかも、上述の構成により、扁平形電池の側面が筐体によって覆われるため、ユーザーが基板に触れるのをより確実に防止できるとともに、電池ユニットの外観の向上も図れる。
【発明の効果】
【００２３】
本発明の一実施形態にかかる電池ユニットによれば、基板を扁平形電池との間に挟みこむように該扁平形電池の側面に筐体を嵌合させることで、該扁平形電池及び基板を一体化することができる。これにより、コンパクトな電池ユニットを簡単な構成により実現できる。
【図面の簡単な説明】
【００２４】
【図１】図１は、実施形態に係る電池ユニットの概略構成を示す斜視図である。
【図２】図２は、図１におけるＩＩ−ＩＩ線断面において、扁平形電池を除いて断面で示す図である。
【図３】図３は、図１におけるＩＩＩ−ＩＩＩ線断面において、扁平形電池を除いて断面で示す図である。
【図４】図４は、扁平形電池の概略構成を示す断面図である。
【図５】図５は、回路基板の概略構成を示す平面図である。
【図６】図６は、電池ユニットの製造方法の一例を示す図である。
【図７】図７は、電池ユニットの製造方法の一例を示す図である。
【発明を実施するための形態】
【００２５】
以下、図面を参照して、本発明の実施の形態を詳しく説明する。図中の同一または相当部分については同一の符号を付してその説明は繰り返さない。
【００２６】
（全体構成）
図１は、本発明の実施形態にかかる電池ユニット１の概略構成を示す図である。この電池ユニット１は、概略有底円筒状の筐体４内に、コイン状の扁平形電池２と回路部３とを収納することにより、該扁平形電池２及び回路部３が一体化されたユニットである。電池ユニット１は、例えば、歩数計、補聴器、自動車用の電子キー、ＩＣタグ、センサユニットなど、コイン型電池を使用する小型機器の電源として使用される。
【００２７】
具体的には、図２に示すように、電池ユニット１は、扁平形電池２の上面（後述する負極缶２０の平面部２１）上に回路部３を配置した状態で、該扁平形電池２に対して、回路部３を間に挟み込むよう概略有底円筒状の筐体４を嵌合させることにより、構成される。これにより、電池ユニット１は、扁平形電池２の上面側が回路部３によって覆われる一方、該扁平形電池２の底面（後述する正極缶１０の底部１１）側は露出する。
【００２８】
扁平形電池２は、図４に示すように、有底円筒状の外装缶としての正極缶１０と、該正極缶１０の開口を覆う封口缶としての負極缶２０と、正極缶１０の外周側と負極缶２０の外周側との間に配置されるガスケット３０と、正極缶１０及び負極缶２０の間に形成される空間内に収納される電極体４０とを備えている。したがって、扁平形電池２は、正極缶１０と負極缶２０とを合わせることによって、全体が扁平なコイン状となる。正極缶１０と負極缶２０との間に形成される空間内には、電極体４０以外に、非水電解液（図示省略）も封入されている。この実施形態では、詳しくは説明しないが、電極体４０は、例えば図４に示すように正極及び負極の積層体によって構成される。また、扁平形電池２は、例えばリチウムイオン電池として構成されている。
【００２９】
正極缶１０は、ステンレスなどの金属材料からなり、プレス成形によって有底円筒状に形成されている。正極缶１０は、図４に示すように、円形状の底部１１と、その外周に該底部１１と連続して形成される円筒状の周壁部１２とを備えている。この周壁部１２は、縦断面視（図４に図示した状態）で、底部１１の外周端からほぼ垂直に延びるように設けられている。正極缶１０は、後述するように、負極缶２０との間にガスケット３０を挟んだ状態で、周壁部１２の開口端側が内側に折り曲げられて、該負極缶２０に対してかしめられている。よって、正極缶１０の底部１１によって、扁平形電池２の底面が構成される。
【００３０】
負極缶２０も、正極缶１０と同様、ステンレスなどの金属材料からなり、プレス成形によって有底円筒状に形成されている。負極缶２０は、図４に示すように、正極缶１０の周壁部１２よりも外形が小さい円筒状の周壁部２２と、その一方の開口を塞ぐ円形状の平面部２１と、を有している。よって、負極缶２０の平面部２１によって、扁平形電池２の上面が構成される。
【００３１】
負極缶２０の周壁部２２も、正極缶１０と同様、縦断面視で、平面部２１に対してほぼ垂直に延びるように設けられている。周壁部２２には、平面部２１側の基端部２２ａに比べて径が段状に大きくなる拡径部２２ｂが形成されている。すなわち、周壁部２２には、基端部２２ａと拡径部２２ｂとの間に段部２２ｃが形成されている。図４に示すように、この段部２２ｃに対して、正極缶１０の周壁部１２の開口端側が折り曲げられてかしめられている。すなわち、正極缶１０は、その周壁部１２の開口端側が負極缶２０の段部２２ｃに嵌合されている。
【００３２】
回路部３は、図１から図３及び図５に示すように、円盤状の回路基板５１と、該回路基板５１上に実装された複数の回路部品５２とを備えている。回路基板５１は、後述する概略有底円筒状の筐体４の内方に配置可能なように、該筐体４の内径よりも小さい直径を有する。また、回路基板５１には、一方の面に複数の回路部品５２が実装されているとともに、他方の面には、扁平形電池２の上面（負極缶２０の平面部２１）と電気的に接触する接続端子（図示省略）が形成されている。なお、回路基板５１には、特に図示しないが、上述の接続端子と回路部品５２とを電気的に接続するためのスルーホールが形成されている。
【００３３】
さらに、図５に示すように、回路基板５１における回路部品５２が実装される面には、その外周側部分に、筐体４に設けられた後述する各種端子６５〜６７と接触する複数の電極５３〜５５が形成されている。具体的には、回路基板５１における回路部品５２が実装される面には、平面視で、該回路基板５１の中央部分を挟んで対向する位置に一対の出力端子用電極５３が設けられている。また、回路基板５１における回路部品５２が実装される面には、平面視で、回路基板５１の周方向における一対の出力端子用電極５３同士の間に、充電端子用電極５４，５５が設けられている。
【００３４】
出力端子用電極５３は、回路部品５２を介して上述の接触端子（図示省略）に電気的に接続されている。よって、出力端子用電極５３は、回路部品５２及び接触端子（図示省略）を介して、扁平形電池２の負極、すなわち負極缶２０に電気的に接続されている。これにより、出力端子用電極５３は、負極の電極として機能する。また、各出力端子用電極５３は、図示しない電気機器に対して電力を供給する後述の各出力端子６５に対してそれぞれ接触する（図２参照）。
【００３５】
充電端子用電極５４は、回路部品５２を介して上述の接触端子（図示省略）に電気的に接続されている。よって、充電端子用電極５４は、回路部品５２及び接触端子（図示省略）を介して、扁平形電池２の負極、すなわち負極缶２０に電気的に接続されている。これにより、充電端子用電極５４は、負極の電極として機能する。また、充電端子用電極５４は、図示しない充電装置の端子に接触する後述の充電端子６６に対して接触する。
【００３６】
充電端子用電極５５は、回路部品５２を介して、後述する接続配線７１に電気的に接続されている。この接続配線７１は、詳しくは後述するように扁平形電池２の正極、すなわち正極缶１０の周壁部１２に電気的に接続されている。よって、充電端子用電極５５は、回路部品及び接続配線７１を介して、扁平形電池２の正極側に電気的に接続されている。これにより、充電端子用電極５５は、正極の電極として機能する。また、充電端子用電極５５は、図示しない充電装置の端子に接触する後述の充電端子６７に対して接触する。
【００３７】
また、図５に示すように、回路基板５１における回路部品５２が実装される面には、平面視で、充電端子用電極５４，５５に対し、該回路基板５１の中央部分を挟んで対向する位置に、接続配線７１に接触する接続用電極５６が設けられている。この接続用電極５６は、回路部品５２に電気的に接続されている。よって、接続用電極５６は、接続配線７１を介して、扁平形電池２の正極側と回路部品５２とを電気的に接続している。これにより、この接続用電極５６は、扁平形電池２と回路部３とを電気的に接続して正極側の充電回路を構成する。
【００３８】
筐体４は、概略有底円筒状に形成された樹脂製（例えばＡＢＳ樹脂（アクリロニトリル、ブタジエン、スチレン共重合合成樹脂）やＰＰ（ポリプロピレン）など）の材料からなる。具体的には、筐体４は、図１から図３に示すように、略円形状の平面部６１と、該平面部６１の外周側に該平面部６１の厚み方向に延出するように該平面部６１と一体形成された側壁部６２とを有する。
【００３９】
平面部６１は、上述の回路基板５１よりも大きい直径を有する円形状に形成されている。また、平面部６１には、中央部分に穴部６１ａが設けられている。すなわち、平面部６１は、中央部分に穴部６１ａを有するドーナツ状に形成されている。この穴部６１ａ内には、筐体４内に回路基板５１を配置した場合に、該回路基板５１上に実装された回路部品５２が位置付けられる。これにより、筐体４と回路部３とをよりコンパクトに配置できるため、電池ユニット１全体としてコンパクト化を図れる。
【００４０】
また、図１に示すように、平面部６１には、平面視で、穴部６１ａを囲むように（穴部６１ａの周辺部分に）、図示しない電気機器の端子と接触する一対の出力端子６５と、図示しない充電装置の端子に接触する充電端子６６，６７とが設けられている。詳しくは、一対の出力端子６５は、平面部６１に、平面視で、穴部６１ａを挟んで対向する位置に設けられている。また、充電端子６６，６７は、平面部６１の周方向における前記一対の出力端子６５同士の間に、並んで設けられている。このように平面部６１に一対の出力端子６５と充電端子６６，６７とを形成することで、出力端子６５と充電端子６６，６７とを容易に区別することが可能になる。
【００４１】
一対の出力端子６５及び充電端子６６，６７は、導電性の金属材料によって構成されていて、筐体４の平面部６１をその厚み方向に貫通するように配置されている（図２に出力端子６５の例のみを示す）。ここで、筐体４は、平面部６１と出力端子６５及び充電端子６６，６７とが一体化されるように、例えばインサートモールド成形によって成形される。なお、本実施形態では、筐体４と出力端子６５及び充電端子６６，６７とが一体になるように、筐体４をインサートモールド成形しているが、この限りではなく、筐体４を成形した後、該筐体４の平面部６１に出力端子６５及び充電端子６６，６７を取り付けてもよい。
【００４２】
出力端子６５は、図２に示すように、筐体４内に回路基板３を配置した状態で、該回路基板３に形成された出力端子用電極５３と接触するように、平面部６１に設けられている。これにより、平面部６１に設けられた出力端子６５は、回路基板３の出力端子用電極５３及び該回路基板３に形成された回路を介して、扁平形電池２の負極側に電気的に接続されている。よって、出力端子６５は、負極側の出力端子として機能する。なお、本実施形態では、後述するように、電池２の正極缶１０の底面が正極側の出力端子として機能する。
【００４３】
充電端子６６は、特に図示しないが、筐体４内に回路基板３を配置した状態で、該回路基板３に形成された充電端子用電極５４と接触するように、平面部６１に設けられている。これにより、平面部６１に設けられた充電端子６６は、回路基板３の充電端子用電極５４及び該回路基板３に形成された回路を介して、扁平形電極２の負極側に電気的に接続されている。よって、充電端子６６は、負極側の充電端子として機能する。
【００４４】
充電端子６７は、特に図示しないが、筐体４内に回路基板３を配置した状態で、該回路基板３に形成された充電端子用電極５５と接触するように、平面部６１に設けられている。これにより、平面部６１に設けられた充電端子６７は、回路基板３の充電端子用電極５５及び該回路基板３に形成された回路を介して、扁平形電極２の正極側に電気的に接続されている。よって、充電端子６７は、正極側の充電端子として機能する。
【００４５】
図２及び図３に示すように、側壁部６２は、扁平形電池２の正極缶１０の周壁部１２に嵌合可能なように、該正極缶１０の外径と同等またはそれ以下の内径を有する円筒状に形成されている。また、側壁部６２は、その筒軸方向の長さが扁平形電池２の厚みと同等またはそれ以下の長さに形成されている。これにより、筐体４を扁平形電池２に対して負極缶２０側から嵌合させると、該扁平形電池２の正極缶１０の底面が露出する。よって、電池ユニット１では、扁平形電池２の正極缶１０の底面が正極側の出力端子として機能する。
【００４６】
また、側壁部６２には、図３に示すように、扁平形電池２の正極缶１０の周壁部１２と回路基板５１とを電気的に接続するための接続配線７１が設けられている。この接続配線７１は、断面略Ｌ字状に形成されていて、筐体４の内側に側壁部６２及び平面部６１に跨って設けられている。具体的には、接続配線７１は、筐体４の側壁部６２に位置する第１壁部７１ａと、該筐体４の平面部６１に位置する第２壁部７１ｂとを有する。接続配線７１の第１壁部７１ａは、一端側で扁平形電池２の正極缶１０の周壁部１２に接触している。接続配線７１の第２壁部７１ｂは、一端側で回路基板５１に形成された接続用電極５６に接触している（図３参照）。これにより、接続配線７１は、扁平形電池２の正極である正極缶１０と、回路基板５１の接続用電極５６とを電気的に接続することができる。
【００４７】
側壁部６２も、上述の平面部６１と同様、接続配線７１と一体になるように例えばインサートモールドによって成形される。なお、この限りではなく、側壁部６２を形成した後、該側壁部６２の内面に接続配線７１を設けてもよい。
【００４８】
上述の構成により、扁平形電池２と回路部３とをコンパクトにユニット化することができる。しかも、筐体４内に扁平形電池２及び回路部３を収納することによって電池ユニット１を構成するため、電池ユニット１を簡単な構成によって実現できるとともに、該電池ユニット１を容易に得ることができる。
【００４９】
しかも、筐体４は概略有底円筒状に形成されているため、該筐体４を扁平形電池２に対して負極缶２０側から嵌合させた状態では、該扁平形電池２の正極缶１０の底面は露出する。そのため、該正極缶１０の底面を電池の電極としてそのまま利用することができる。よって、電気機器内で、電池ユニット１の両面を電気機器側の端子にそれぞれ接触させることにより、従来の扁平形電池と同様の態様で使用することができる。
【００５０】
また、筐体４の平面部６１に、正極側及び負極側の充電端子６６，６７を設けることにより、該平面部６１側を図示しない充電装置の端子に接触させて充電を行うことができる。
【００５１】
（電池ユニットの製造方法）
次に、上述のような構成を有する電池ユニット１の製造方法について図６及び図７を用いて説明する。
【００５２】
まず、インサートモールド成形によって、概略有底円筒状の筐体４を形成した後、該筐体４を、平面部６１が下側になるように配置する。そして、図６に示すように、筐体４内の平面部６１上に回路部３を配置する。このとき、回路部３の回路部品５２が筐体４の平面部６１に形成された穴部６１ａ内に位置し且つ回路部３の回路基板５１が平面部６１に当接するように、該回路部３を筐体４内に配置する。なお、この際、特に図示しないが、回路基板５１に形成された出力端子用電極５３が平面部６１に設けられた出力端子６５に接触し且つ回路基板５１に形成された充電端子用電極５４，５５が平面部６１に設けられた充電端子６６，６７に接触するように、回路基板５１を筐体４の平面部６１に対して位置決めする。このような位置決めを容易に行えるように、回路基板５１及び平面部６１に位置決め用の凹凸を設けても良い。
【００５３】
そして、図７に示すように、扁平形電池２を負極缶２０が下側になる状態で筐体４内に挿入する。このとき、扁平形電池２の負極缶２０の平面部２１が回路基板５１に当接するまで、該扁平形電池２を筐体４の内方へ押し込む。これにより、扁平形電池２を筐体４により確実に嵌合させることができるとともに、該扁平形電池２の負極側を図示しない接触端子によって回路基板５１と電気的に接続することができる。
【００５４】
なお、扁平形電池２、回路部３及び筐体４を、それぞれ接着剤や接着テープ等によって固定してもよい。これにより、扁平形電池２、回路部３及び筐体４をより強固に接合することができるため、筐体４から扁平形電池２や回路部３が脱離するのを防止できる。
【００５５】
（実施形態の効果）
以上より、この実施形態によれば、概略有底円筒状の筐体４内に、該筐体４と扁平形電池２との間に回路部３を挟みこむように扁平形電池２及び回路部３を配置したため、簡単な構成によって、扁平形電池２及び回路部３をユニット化することができる。しかも、上述の構成により、扁平形電池２及び回路部３に対して筐体４を嵌合させるだけで電池ユニット１を構成できるため、容易に電池ユニット１を得ることができる。
【００５６】
また、上述のように、筐体４は概略有底円筒状であるため、該筐体４を扁平形電池２に対して負極缶２０側から嵌合させることにより得られる電池ユニット１では、該扁平形電池２の正極缶１０の底面が露出する。一方、筐体４の平面部６１には、扁平形電池２の負極缶２０に対して電気的に接続された負極側の出力端子６５が設けられている。これにより、電池ユニット１の両面に端子が存在するため、該電池ユニット１を電気機器内で従来の扁平形電池と同様の態様で使用することが可能になる。
【００５７】
また、筐体４内に扁平形電池２及び回路部３を収納することで、電池ユニット１全体としての強度向上を図れるとともに、ユーザーが該電池ユニット１内の回路部品５２に触れるのを防止できる。
【００５８】
さらに、筐体４の平面部６１には、回路部３の回路部品５２が位置付けられる穴部６１ａが設けられているため、該回路部３と筐体４とを互いに干渉することなくよりコンパクトに配置することができる。
【００５９】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００６０】
前記実施形態では、筐体４を概略有底円筒状としているが、この限りではなく、扁平形電池２及び回路部３を収納可能な有底筒状であれば他の形状であってもよい。
【００６１】
前記実施形態では、筐体４の側壁部６２を円筒状としているが、この限りではなく、扁平形電池２の側面に嵌合して該扁平形電池２を保持可能な構成であれば、側壁部を一部分のみ設けてもよい。
【００６２】
前記実施形態では、筐体４の平面部６１に、回路部品５２を内方に位置付けるための穴部６１ａを設けている。しかしながら、この穴部６１ａを設けることなく、例えば回路部品５２と平面部６１とが干渉しないような凹部を設けても良い。
【００６３】
前記実施形態では、筐体４の平面部６１に、出力端子６５及び充電端子６６，６７を設けているが、この限りではなく、筐体４の側壁部６２に出力端子６５及び充電端子６６，６７の少なくとも一つを設けても良い。
【００６４】
前記実施形態では、筐体４に、２つの出力端子６５及び充電端子６６，６７をそれぞれ設けているが、この限りではなく、出力端子と充電端子とをそれらの一部または全てにおいて兼用するようにしてもよい。この場合には、筐体４に設ける端子の数を減らすことができる。
【００６５】
前記実施形態では、外装缶を正極缶１０とし、封口缶を負極缶２０としているが、この限りではなく、外装缶を負極缶とし、封口缶を正極缶としてもよい。
【００６６】
前記実施形態では、扁平形電池２をリチウムイオン電池として構成している。しかしながら、扁平形電池２は、充電可能な二次電池であれば、リチウムイオン電池以外の電池であってもよい。また、前記実施形態では、扁平形電池２は積層構造の電極体４０を有しているが、この限りではなく、内部の電極構造は他の構成であってもよい。さらに、扁平形電池２は、２次電池ではなく１次電池であってもよい。扁平形電池２が１次電池の場合には、回路部として例えばキャパシタなどが実装される。
【産業上の利用可能性】
【００６７】
本発明による電池ユニットは、回路が形成された基板と小型機器に装着される扁平形電池とを備えた構成に利用可能である。
【符号の説明】
【００６８】
１：電池ユニット、２：扁平形電池、３：回路部、４：筐体、１０：正極缶（外装缶）、２０：負極缶（封口缶）、５１：回路基板（基板）、５２：回路部品、５３，５４：出力端子用電極、５４，５５：充電端子用電極、５６：接続用電極、６１：平面部、６１ａ：穴部、６２：側壁部、６５：出力端子、６６，６７：充電端子、７１：接続配線
【図１】
0005530381.tif 000002
【図２】
0005530381.tif 000003
【図３】
0005530381.tif 000004
【図４】
0005530381.tif 000005
【図５】
0005530381.tif 000006
【図６】
0005530381.tif 000007
【図７】
0005530381.tif 000008